(57)【要約】      （修正有）【課題】意匠性を向上させた車両用計器装置を提供すること。【解決手段】車両用計器装置１０は、透光性を有する板状の基材１３と、基材１３の片面に設けられると共に一部に開口１４ａが形成され、遮光性を有する遮光層１４と、遮光層１４の開口１４ａに臨み、基材１３の裏面に密着して設けられた液晶表示器１６と、開口１４ａを囲うようにして基材１３の表面に設けられ、指針によって指示される目盛り部２２と、からなる。基材１３の表面は、少なくとも、液晶表示器１６に重なる位置から目盛り部２２が重なる位置まで、立体的な縞模様状に形成された縞模様部１３ａとされている。【選択図】図２
2017078589.tif 000002
【特許請求の範囲】
【請求項１】
透光性を有する板状の基材と、
この基材の片面に設けられると共に一部に開口が形成され、遮光性を有する遮光層と、
この遮光層の前記開口に臨み、前記基材の裏面に密着して設けられた液晶表示器と、
前記開口を囲うようにして前記基材の表面に設けられ、指針によって指示される目盛り部と、からなる車両用計器装置であって、
前記基材の表面は、少なくとも、前記液晶表示器に重なる位置から前記目盛り部が重なる位置まで、立体的な縞模様状に形成された縞模様部とされていることを特徴とする車両用計器装置。
【発明の詳細な説明】
【技術分野】
【０００１】
本発明は、液晶表示器が搭載された車両用計器装置に関する。
【背景技術】
【０００２】
二輪車や四輪車等の多くの車両において、乗員の前方に車速計やタコメータ等の車両用計器装置が配置されている。車両用計器装置は、目盛りを指針によって指示することにより、車速や回転数等の車両情報を乗員に認識させるものである。近年、限られたスペースにおいてさらなる情報を提供できるよう、液晶表示器が搭載された車両用計器装置が種々提案されている。このような車両用計器装置に関する従来技術として、特許文献１に開示される技術がある。
【０００３】
図４及び図５に基づき、特許文献１に開示された発明を説明する。図４は、特許文献１の図１に対応する。図４には、特許文献１による車両用計器装置の正面図が示されている。図５は、特許文献１の図２に対応する。図５には、図４の５−５線断面図が示されている。なお、符号は、適宜振り直した。
【０００４】
図４を参照する。車両用計器装置としての車速計１００は、中央に開口１０１ａが形成された文字盤１０１と、この文字盤１０１の開口１０１ａに臨む液晶表示器１０２と、文字盤１０１の周縁を回転する指針１０３と、この指針１０３によって指示される目盛り部１０４と、を有する。
【０００５】
図５を参照する。文字盤１０１の開口１０１ａに隣接する縁は、液晶表示器１０２に向かって屈曲している。これにより、目盛り部１０４（図４参照）の裏面側から液晶表示器１０２側への光の漏れを抑制することができる。
【０００６】
図４を参照する。車速計１００によれば、文字盤１０１と液晶表示器１０２の境界部分が明確に分かれている。車速計１００全体の一体感を向上させることができれば、車速計１００の意匠性を向上させることができる。
【先行技術文献】
【特許文献】
【０００７】
【特許文献１】特開２０１４−２５８６５号公報
【発明の概要】
【発明が解決しようとする課題】
【０００８】
本発明は、意匠性を向上させた車両用計器装置の提供を課題とする。
【課題を解決するための手段】
【０００９】
請求項１による発明によれば、透光性を有する板状の基材と、
この基材の片面に設けられると共に一部に開口が形成され、遮光性を有する遮光層と、
この遮光層の前記開口に臨み、前記基材の裏面に密着して設けられた液晶表示器と、
前記開口を囲うようにして前記基材の表面に設けられ、指針によって指示される目盛り部と、からなる車両用計器装置であって、
前記基材の表面は、少なくとも、前記液晶表示器に重なる位置から前記目盛り部が重なる位置まで、立体的な縞模様状に形成された縞模様部とされていることを特徴とする車両用計器装置が提供される。
【発明の効果】
【００１０】
請求項１に係る発明では、基材の表面は、少なくとも、液晶表示器に重なる位置から目盛り部が重なる位置まで、立体的な縞模様状に形成された縞模様部とされている。このため、遮光層の開口の近傍において、基材の表面は、縞模様部によって構成される。基材の表面に縞模様部が形成されることにより、基材の裏面から発せられた光は、縞模様部において様々な方向に反射する。これにより、開口の縁近傍において光をぼかし、液晶表示器と遮光層との境界部分を目立たなくすることができる。意匠性を向上させた車両用計器装置を提供することができる。
【００１１】
さらに、縞模様部は、少なくとも、液晶表示器に重なる位置から目盛り部が重なる位置まで形成される。液晶表示器と遮光層との境界部分のみならず、広い範囲を縞模様部によって統一することにより、基材の意匠性も高めることができる。これにより、さらに車両用計器装置の意匠性を向上させることができる。
【００１２】
さらに、液晶表示器は、基材の裏面に密着して設けられる。目盛り部及び液晶表示器を基材の厚み方向にコンパクトに配置することができる。これにより、車両用計器装置の一体感が増し、さらに車両用計器装置の意匠性を向上させることができる。加えて、車両用計器装置を小型化することができる。
【図面の簡単な説明】
【００１３】
【図１】本発明の実施例による車両用計器装置の正面図である。
【図２】図１の２−２線断面図である。
【図３】図２の３部拡大図である。
【図４】従来の車両用計器装置について説明する図である。
【図５】図４の５−５線断面図である。
【発明を実施するための形態】
【００１４】
本発明の実施の形態を添付図に基づいて以下に説明する。なお、説明中、左右とは車両の乗員を基準として左右、前後とは車両の進行方向を基準として前後を指す。
＜実施例＞
【００１５】
図１を参照する。図１には、タコメータ１０（車両用計器装置１０）が示されている。タコメータ１０は、例えば、二輪車の前部に配置され、車速計と共にハンドルパイプの上部に取り付けられる。
【００１６】
図２を参照する。タコメータ１０は、正面視において円状を呈するケース体３０と、このケース体３０の内部に設けられた支持部材１２と、この支持部材１２に支持された円盤状の基材１３と、この基材１３の裏面（図面下側の面）に黒色印刷によって形成され中央に開口１４ａを有する遮光層１４と、この遮光層１４の開口１４ａに臨み接着剤１５によって基材１３の裏面に接着された液晶表示器１６と、この液晶表示器１６に表示される情報を制御し支持部材１２の下部にねじ１７，１７によって固定された制御基板１８と、を有している。
【００１７】
図１を併せて参照する。タコメータ１０は、例えば、液晶表示器１６によって指針２１が表示される。基材１３の表面には、開口１４ａを囲うようにして、指針２１によって指示される目盛り部２２が設けられている。目盛り部２２は、接着剤２３によって基材１３の表面に接着されている。
【００１８】
基材１３の表面には、目盛り部２２を囲うようにドーナツ板状の装飾部材２４が設けられている。装飾部材２４の表面には、数字状の目盛り部２２が設けられた部位に対応させて、針状の装飾針部２４ａが設けられている。装飾針部２４ａは、基材１３の中心ＣＬから目盛り部２２に向かう線の延長線上に設けられている。装飾部材２４は、接着剤２６によって基材１３の表面に接着されている。
【００１９】
図２を参照する。ケース体３０は、有底筒状の下部ケース３１と、この下部ケース３１に被せられ中央が開口した上部ケース３２と、この上部ケース３２の開口を塞ぐよう上部ケース３２に一体的に設けられた透明の蓋体３３と、からなる。
【００２０】
下部ケース３１、及び、上部ケース３２は、例えば、黒色樹脂製の部品である。下部ケース３１、及び、上部ケース３２は、互いに嵌合させた上で、接着されている。下部ケース３１、及び、上部ケース３２の素材には、任意の素材を選択することができる。
【００２１】
蓋体３３の素材には、ポリカーボネートを採用することができる。蓋体３３は、例えば、上部ケース３２に一体成形されている。
【００２２】
下部ケース３１には、中心ＣＬに向かって突出する下部ケース突出部３１ａが形成されている。この下部ケース突出部３１ａの上面に支持部材１２が載せられている。
【００２３】
下部ケース突出部３１ａに載せられた支持部材１２は、上部ケース３２、及び、蓋体３３によって挟みこまれて固定されている。
【００２４】
支持部材１２は、円筒状の樹脂製の部材である。支持部材１２の下部には、中心ＣＬに向かって突出する支持部材突出部１２ａが形成されている。支持部材突出部１２ａの上面に基材１３は載せられている。
【００２５】
基材１３の素材には、ポリカーボネートやガラス等の透明な素材が用いられている。基材１３の表面には、断面鋸歯形状の縞模様部１３ａが全体に形成されている。図１も併せて参照し、縞模様部１３ａは、基材１３の表面に同心円状に形成されている。
【００２６】
縞模様部１３ａは、金属製の鉤を用いて基材１３の表面を引っ掻くようにして形成することができる。また、射出成形型を縞模様部１３ａに対応させた形状とし、射出成形により形成することもできる。これらのような方法の他、薬品塗布による化学的な方法を用いることもできる。さらには、印刷により形成することもできる。
【００２７】
液晶表示器１６には、ＴＦＴ（Thin Film Transistor）液晶パネル等、任意の液晶表示装置を採用することができる。液晶表示器１６には、指針２１の他に、走行距離等の車両情報や、ナビゲーション情報等の交通情報が表示される。
【００２８】
以上の構成によるタコメータ１０は、以下の効果を奏する。
【００２９】
図３を参照する。基材１３の表面は、少なくとも、液晶表示器１６に重なる位置から目盛り部２２が重なる位置まで、立体的な縞模様状に形成された縞模様部１３ａとされている。このため、遮光層１４の開口１４ａの近傍において、基材１３の表面は、縞模様部１３ａによって構成される。基材１３の表面に縞模様部１３ａが形成されることにより、基材１３の裏面から発せられた光は、縞模様部１３ａにおいて様々な方向に反射する。これにより、開口１４ａの縁近傍において光をぼかし、液晶表示器１６と遮光層１４との境界部分を目立たなくすることができる。意匠性を向上させたタコメータ１０を提供することができる。
【００３０】
さらに、縞模様部１３ａは、少なくとも、液晶表示器１６に重なる位置から目盛り部２２が重なる位置まで形成される。液晶表示器１６と遮光層１４との境界部分のみならず、広い範囲を縞模様部１３ａによって統一することにより、基材１３の意匠性も高めることができる。これにより、さらにタコメータ１０の意匠性を向上させることができる。
【００３１】
図２を参照する。さらに、液晶表示器１６は、基材１３の裏面に密着して設けられる。目盛り部２２及び液晶表示器１６を基材１３の厚み方向にコンパクトに配置することができる。これにより、タコメータ１０の一体感が増し、さらにタコメータ１０の意匠性を向上させることができる。加えて、タコメータ１０を小型化することができる。
【００３２】
さらに、縞模様部１３ａは、基材１３の表面の全体に形成されている。加えて、基材１３の表面には、目盛り部２２を囲うようにして装飾部品である装飾部材２４が設けられている。装飾部材２４は、基材１３の表面に接着剤２６によって接着されている。装飾部材２４によって意匠性を高める。このとき、縞模様部１３ａが形成されていることにより、接着面積を広くすることができ、装飾部材２４の接着強度を高めることができる。
【００３３】
尚、本発明による車両用計器装置は、二輪車のタコメータを例に説明したが、二輪車の他にも四輪車や三輪車等にも適用可能である。さらに、本発明による車両用計器装置は、車速計、水温計、フューエルメータ等であっても適用可能である。
【００３４】
さらに、縞模様部は、同心円状に基材の表面の全体に形成された例を基に説明したが、縦縞状や横縞状であってもよい。
【００３５】
さらに、指針は、液晶表示器によって表示されるものに限られず、特許文献１に示されたようなモータによって回転されるものであってもよい。
【００３６】
さらに、遮光層の目盛り部に対応した部位に開口を形成し、裏面から光を照射することにより目盛り部を光らせてもよい。
【００３７】
本発明の作用及び効果を奏する限りにおいて、本発明は、実施例に限定されるものではない。
【産業上の利用可能性】
【００３８】
本発明の車両用計器装置は、二輪車のタコメータに好適である。
【符号の説明】
【００３９】
１０…タコメータ（車両用計器装置）
１３…基材
１３ａ…縞模様部
１４…遮光層
１４ａ…開口
１６…液晶表示器
２１…指針
２２…目盛り部
【図１】
2017078589.tif 000003
【図２】
2017078589.tif 000004
【図３】
2017078589.tif 000005
【図４】
2017078589.tif 000006
【図５】
2017078589.tif 000007